(57)【要約】【課題】使用者がバッテリカバーを確実に携帯端末機に固定し、且つ、バッテリカバーを携帯端末機から容易に着脱し得る携帯端末機のバッテリカバーロッキング装置を提供する。【解決手段】バッテリカバー２０に形成された少なくとも一つ以上のフック２１と、前記フック２１と係合される少なくとも一つ以上のロック部材１５０と、前記ロック部材１５０に弾性力を与える少なくとも一つ以上の弾性部材１３０と、前記ロック部材１５０を移動させる移動手段２００とを含んで構成する。【選択図】図１
2004297068.tif 000002
【特許請求の範囲】
【請求項１】
バッテリカバーに形成された少なくとも一つ以上のフックと、
前記フックと係合される少なくとも一つ以上のロック部材と、
前記ロック部材に弾性力を与える少なくとも一つ以上の弾性部材と、
前記ロック部材を移動させる移動手段とを含んで構成されることを特徴とする携帯端末機のバッテリカバーロッキング装置。
【請求項２】
前記ロック部材には、前記フックと係合されるロック部を備えることを特徴とする請求項１記載の携帯端末機のバッテリカバーロッキング装置。
【請求項３】
前記ロック部材には、前記フックを中心に前記ロック部に対向する側に形成され前記フックに対して所定の角度を持つ傾斜面を有する突条を備えることを特徴とする請求項２記載の携帯端末機のバッテリカバーロッキング装置。
【請求項４】
前記フックの前記突条と対峙する外側面は、突条の傾斜面に対応する傾斜を有して形成されることを特徴とする請求項３記載の携帯端末機のバッテリカバーロッキング装置。
【請求項５】
前記弾性部材の一方端は前記ロック部材に固定され、他方端は携帯端末機の本体に固定されることを特徴とする請求項１記載の携帯端末機のバッテリカバーロッキング装置。
【請求項６】
前記弾性部材は、ロック部材の間に装着されることを特徴とする請求項５記載の携帯端末機のバッテリカバーロッキング装置。
【請求項７】
前記弾性部材は、ロック部材の両側端に装着されることを特徴とする請求項５記載の携帯端末機のバッテリカバーロッキング装置。
【請求項８】
前記弾性部材の両側端は、対向するロック部材の面にそれぞれ固定されることを特徴とする請求項１記載の携帯端末機のバッテリカバーロッキング装置。
【請求項９】
前記ロック部材には、前記フックの傾斜面に対応する所定の角度を持つ傾斜面を有する突条が更に形成されることを特徴とする請求項１記載の携帯端末機のバッテリカバーロッキング装置。
【請求項１０】
前記移動手段は、前記ロック部材から延長されるノブにより構成されることを特徴とする請求項１記載の携帯端末機のバッテリカバーロッキング装置。
【請求項１１】
前記移動手段は、前記ロック部材に連結されたノブと、
前記各ロック部材からそれぞれ延長形成されたラックギヤと、
前記各ラックギヤに回転自在に装着されて、前記ラックギヤに噛合されたピニオンギヤとから構成されることを特徴とする請求項１記載の携帯端末機のバッテリカバーロッキング装置。
【請求項１２】
前記弾性部材の一方端は前記ロック部材に固定され、他方端は携帯端末機の本体に固定されることを特徴とする請求項１１記載の携帯端末機のバッテリカバーロッキング装置。
【請求項１３】
前記弾性部材は、前記ロック部材の間に装着されることを特徴とする請求項１１記載の携帯端末機のバッテリカバーロッキング装置。
【発明の詳細な説明】
【技術分野】
【０００１】
本発明は、携帯端末機のバッテリカバーロッキング装置に係るもので、詳しくは、使用者がバッテリカバーを確実に携帯端末機に固定し、且つ、バッテリカバーを携帯端末機から容易に着脱し得る携帯端末機のバッテリカバーロッキング装置に関するものである。
【背景技術】
【０００２】
従来、携帯端末機等において、着脱可能なバッテリーを携帯端末機本体に固定保持させる各種技術が開示されている（例えば、特許文献１参照）。
【０００３】
図１２〜図１４に示すように、従来の携帯端末機は、一方に軸支え部２０１が形成された本体１００と、本体１００にバッテリ２１０を覆いながら結合されるバッテリカバー２２０と、バッテリカバー２２０を本体１００に固定させるロッキング装置２３０と、ロッキング装置２３０を固定及び保護するデコプレート２４０とから構成されている。
【０００４】
又、ロッキング装置２３０においては、バッテリカバー２２０を固定させるロッカー２３１が軸２３１ａにより本体１００の軸支え部２０１に押動可能に嵌装され、ロッカー２３１と本体１００との間には、ロッカー２３１を弾性的に支持するスプリング２３２が装着される。
【０００５】
又、ロッカー２３１には、バッテリカバー２２０のフック２２０ａと係合されるロック部２３１ｂが形成され、フック２２０ａがロック部２３１ｂと係合されることで、バッテリカバー２２０が本体１００にロックされる。
又、バッテリカバー２２０を本体１００から分離する場合は、使用者がロッカー２３１を押すことで、ロッカー２３１のロック部２３１ｂ及びバッテリカバー２２０のフック２２０ａのロックが解除された後、バッテリカバー２２０が分離される。
【０００６】
【特許文献１】特開２００１−２８５４３１号公報
【発明の開示】
【発明が解決しようとする課題】
【０００７】
しかしながら、このような従来の携帯端末機のバッテリカバーロッキング装置においては、携帯端末機に外部から落下衝撃などが加えられると、ロッカー２３１を弾性的に支持するスプリング２３２が自然に圧縮されることで、ロッカー２３１のロック部２３１ｂとバッテリカバー２２０のフック２２０ａとの間にギャップが発生するため、バッテリカバー２２０がロッキング装置２３０から容易に外れてしまうという問題点があった。
【０００８】
そこで、本発明は上記従来の携帯端末機のバッテリカバーロッキング装置における問題点に鑑みてなされたものであって、本発明の目的は、使用者がバッテリカバーを確実に携帯端末機に固定し、且つ、バッテリカバーを携帯端末機から容易に着脱し得る携帯端末機のバッテリカバーロッキング装置を提供することにある。
【課題を解決するための手段】
【０００９】
上記目的を達成するためになされた本発明による携帯端末機のバッテリカバーロッキング装置は、バッテリカバーに形成された少なくとも一つ以上のフックと、前記フックと係合される少なくとも一つ以上のロック部材と、前記ロック部材に弾性力を与える少なくとも一つ以上の弾性部材と、前記ロック部材を移動させる移動手段とを含んで構成されることを特徴とする。
【発明の効果】
【００１０】
本発明による携帯端末機のバッテリカバーロッキング装置によれば、使用者がバッテリカバーを携帯端末機に確実に固定し、且つ、バッテリカバーを携帯端末機から容易に着脱することができるという効果がある。
【発明を実施するための最良の形態】
【００１１】
次に、本発明に係る携帯端末機のバッテリカバーロッキング装置を実施するための最良の形態の具体例を図面を参照しながら説明する。
【実施例１】
【００１２】
図１は、本発明に係る携帯端末機のバッテリカバーロッキング装置の第１の実施例を示す一部縦断面図である。
図１に示すように、バッテリが装着されるバッテリカバー２０の内部両側方に形成された各フック２１と、携帯端末機の本体１０の内側に移動自在に装着されて、バッテリカバー２０がロックされる時、バッテリカバー２０の両側方のフック２１にそれぞれ係合される各ロック部材５０と、それらロック部材５０に弾性力を与える各弾性部材３０と、ロック部材５０から延長形成されて、各ロック部材５０を移動させる外力を伝達させるノブ４０とを含んで構成されている。
【００１３】
携帯端末機の本体１０の内部には、各ロック部材５０が挿入されると共に、それらロック部材５０の移動を案内する案内グルーブ１１が形成され、案内グルーブ１１の内部中央には、弾性部材３０を支持する支持突条１２が形成配置される。
ロック部材５０には、バッテリカバー２０がロックされる時、各フック２１が挿入される挿入空間５３が形成されており、挿入空間５３の両側方上下面に第１及び第２突条５１、５２がそれぞれ突出した形で形成される。このとき、第１突条５１は、フック２１が係合されるロック部の役割をし、第１突条５１の内側面５１ａには、フック２１が係合されるように、フック２１の内側面２１ａに対応する湾曲面が形成される。
【００１４】
又、第２突条５２は、第１突条５１に対向する上方側に形成され、第２突条５２の内側面５２ａは、フック２１の外側面２１ｂに対応する所定の角度を持つ傾斜面が形成され、フック２１のロック解除時、ロック部材５０の移動によりフック２１を押すことで、フック２１をロッキング装置から分離させる。
このとき、第２突条５２の内側面５２ａの傾斜面の幅は、フック２１が押される量と関係があり、第２突条５２の内側面５２ａの幅が大きいほどフック２１が押される量は大きくなる。且つ、バッテリカバー２０のロック時、フック２１が第２突条５２の内側面５２ａを押して円滑に係入されるように、フック２１の外側面２１ｂは、第２突条５２の内側面５２ａに対応する傾斜面をなして形成される。
【００１５】
弾性部材３０は、各ロック部材５０の相互に対向する面と支持突条１２との間にそれぞれ挿入される二つのスプリングにより構成され、第１突条５１からフック２１の方向、即ち、各ロック部材５０が相互離隔する方向に弾性力を提供するように本実施例ではなされているが、これに限定されず、弾性部材３０は、各ロック部材５０が相互対向する面に挿入される一つのスプリングにより構成することもできる。又、弾性部材３０は、ロック部材５０の間に挿入することに限定されず、ロック部材５０の両側端と本体１０との間に挿入することもできる。
【００１６】
ノブ４０は、ロック部材５０から外側にそれぞれ突出形成され、バッテリカバー２０のロックを解除する時、ロック部材５０が相互に隣接方向に動かすための作用力を伝達させる。
【００１７】
以下、このように構成された本発明に係る携帯端末機のバッテリカバーロッキング装置の第１の実施例におけるバッテリカバー２０が携帯端末機の本体１０にロックされた後、本体１０から分離される過程に対して図２〜図５を参照しながら説明する。
まず、バッテリカバー２０が携帯端末機の本体１０にロックされる場合、図２に示すように、使用者によりバッテリカバー２０のフック２１が各ロック部材５０の各第１突条５１を押してそれぞれ挿入空間５３に進入する時、各ロック部材５０は相互に隣接する方向にそれぞれ移動し、図３に示すように、各フック２１が各第１突条５１と各第２突条５２間に形成される挿入空間５３に漸次挿入される。
【００１８】
次に、各フック２１が挿入空間５３に完全に挿入されると、各ロック部材５０が弾性部材３０の弾性力により相互に離隔する方向に移動する。従って、図１に示したように、各第１突条５１の内側面５１ａと各フック２１の内側面２１ａとが相互係合されることで、バッテリカバー２０が本体１０に装着される過程が終了される。このとき、ロック部材５０の第１突条５１には、弾性部材３０の弾性力によりフック２１側の力が作用しているため、バッテリカバー２０が携帯端末機の本体１０から分離することはない。
【００１９】
一方、バッテリカバー２０を携帯端末機の本体１０から分離する場合、各ノブ４０に使用者による外力がロック部材５０が相互に隣接する方向に作用すると、ロック部材５０がそれぞれ移動しながら、図４に示すように、各第１突条５１の内側面５１ａから各フック２１の内側面２１ａが離脱されてフック２１のロックが解除されると共に、各第２突条５２の内側面５２ａと各フック２１の外側面２１ｂとが相互に密着する。次いで、図５に示すように、各ロック部材５０が継続して移動すると、各第２突条５２の内側面５２ａがフック２１の外側面２１ｂを押すことで、各フック２１が第２突条５２の内側面５２ａの傾斜面を沿って移動してロッキング装置から分離され、よって、ロック部材５０の移動により、バッテリカバー２０が携帯端末機の本体１０からロック解除されて分離される。
【００２０】
以上説明したように、本発明に係る携帯端末機のバッテリカバーロッキング装置の第１の実施例では、携帯端末機の本体１０にロック部材５０が左右両方向に移動自在にそれぞれ装着され、それら各ロック部材５０が弾性部材３０により弾性的に支持されることで、バッテリカバー２０の各フック２１を両側方でロックするため、使用者が携帯端末機を落下させて衝撃力が加えられた場合でも、バッテリカバー２０のロック状態が容易に解除されることなく、確実に保持し得るという効果がある。
又、ロック部材５０の移動によりバッテリカバー２０のロックが解除されると共に、バッテリカバー２０が本体１０から分離されるため、バッテリカバー２０の分離動作を簡単に行うことができるという効果がある。
【実施例２】
【００２１】
図６は、本発明に係る携帯端末機のバッテリカバーロッキング装置の第２の実施例を示す一部縦断面図である。
図６に示すように、バッテリが装着されるバッテリカバー２０の内部両側方に形成された各フック２１と、携帯端末機の本体１０の内側に移動自在に装着され、バッテリカバー２０がロックされる時、各フック２１が係合される各ロック部材１５０と、それらロック部材１５０の間に装着されて各ロック部材１５０に弾性力を与える各弾性部材１３０と、各ロック部材１５０に装着されてそれらロック部材１５０を移動させる移動手段２００とを含んで構成されている。
【００２２】
携帯端末機の本体１０の内部には、各ロック部材１５０が挿入されると共に、それらロック部材１５０の移動を案内する案内グルーブ１１１が形成され、案内グルーブ１１１の内部中央付近には、弾性部材１３０を支持する各支持突条１１２が各々形成される。
ロック部材１５０の左右両側方面下部には、バッテリカバー２０のロック時、各フック２１の挿入空間１５３を形成するために第１及び第２突条１５１、１５２が上下部位にそれぞれ形成される。このとき、第１突条１５１は、フック２１が係合されるロック部の役割をし、第１突条１５１の内側面１５１ａには、フック２１が係合されるように、フック２１の内側面２１ａに対応する湾曲面が形成される。
【００２３】
又、第２突条１５２は、第１突条１５１に対向する上方側に形成され、第２突条１５２の内側面１５２ａは、フック２１の外側面２１ｂに対応する所定の角度を持つ傾斜面が形成される。即ち、バッテリカバー２０のロック時、フック２１が第２突条１５２の内側面１５２ａを押して円滑に係入されるように、フック２１の外側面２１ｂは、第２突条１５２の内側面１５２ａに対応する傾斜面をなしている。
【００２４】
弾性部材１３０は、ロック部材１５０の相互に対向する面と支持突条１１２間に設置されるスプリングにより構成され、第１突条１５１からフック２１の方向であるロック部材１５０が相互離隔する方向に弾性力を提供するように本実施例ではなされているが、これに限定されず、弾性部材１３０は、両側方のロック部材１５０のそれぞれ装着するか、又は、少なくとも何れか一方のロック部材１５０に装着することもできる。
【００２５】
移動手段２００は、少なくとも一つ以上のロック部材１５０と一体に延長形成された連結リンク１６０と、連結リンク１６０から突出形成されて、バッテリカバー２０の分離時に、ロック部材１５０を移動させる外力を伝達するノブ１４０と、ロック部材１５０からそれぞれ延長形成されたラックギヤ１７０と、案内グルーブ１１１の内部に回転自在に装着されて、ラックギヤ１７０に噛合されるピニオンギヤ１８０とから構成される。
【００２６】
又、図７に示すように、ノブ１４０は、ロッキング装置の外側に覆われたカバー８０の開口部９０を通して外側に突出され、ノブ１４０は、バッテリカバー２０のロックを解除及び分離する時、使用者により操作される。
【００２７】
以下、このように構成された本発明に係る携帯端末機のバッテリカバーロッキング装置の第２の実施例において、バッテリカバー２０が携帯端末機の本体１０にロックされ、本体１０から分離されるまでの過程に対して図８〜図１１を参照しながら説明する。
まず、バッテリカバー２０が携帯端末機の本体１０に装着される場合、図８に示すように、使用者の操作によりバッテリカバー２０のフック２１がロック部材１５０の第１突条１５１を押して進入する時、両側方の各ロック部材１５０は相互に隣接する方向に移動する。
【００２８】
次に、図９に示すように、フック２１が第１突条１５１と第２突条１５２間の挿入空間１５３に漸次挿入される。次いで、フック２１が挿入空間１５３に完全に挿入されると、ロック部材１５０は弾性部材１３０の弾性力により相互に離隔する方向に移動する。従って、図６に示したように、第１突条１５１の内側面１５１ａとフック２１の内側面２１ａとが相互係合されることで、バッテリカバー２０が本体１０に装着される。このとき、弾性部材１３０の弾性力により、ロック部材１５０の第１突条１５１にフック２１の力が作用しているため、バッテリカバー２０はロック部材１５０の両側で固定される。
【００２９】
その後、バッテリカバー２０を携帯端末機の本体１０から分離する場合、ノブ１４０を使用者が操作して、ロック部材１５０を図７の右側に移動させる時、ノブ１４０が移動しながら、連結リンク１６０によりノブ１４０に連結されたロック部材１５０中何れか一つが移動する。又、ロック部材１５０に連結されたラックギヤ１７０及びピニオンギヤ１８０の動力伝達メカニズムにより、ノブ１４０と連結されない他方側のロック部材１５０も移動し、一対のロック部材１５０が相互に隣接する方向に移動する。
【００３０】
従って、図１０に示すように、ロック部材１５０の第１突条１５１の内側面１５１ａからフック２１の内側面２１ａが離脱され、フック２１のロックが解除されると共に、ロック部材１５０の第２突条１５２の内側面１５２ａとフック２１の外側面２１ｂとが相互に密着する。
【００３１】
次に、図１１に示すように、ロック部材１５０が継続して移動すると、第２突条１５２の内側面１５２ａがフック２１の外側面２１ｂを押すことで、フック２１が第２突条１５２の内側面１５２ａの傾斜面を沿って移動してロッキング装置から分離される。よって、ロック部材１５０の移動により、バッテリカバー２０が本体１０からロック解除されて分離される。
【００３２】
以上説明したように、本発明に係る携帯端末機のバッテリカバーロッキング装置の第２の実施例は、携帯端末機の本体１０に一対のロック部材１５０が左右両側方に移動自在に装着され、ロック部材１５０が左右両側方の弾性部材１３０により弾性的に支持されることで、バッテリカバー２０の両側方のフック２１を両方向でロックするため、使用者が携帯端末機を落下させて衝撃力が加えられた場合でも、バッテリカバー２０のロック状態が容易に解除されることなく、確実に保持し得るという効果がある。
【００３３】
又、ロック部材１５０と、ラックギヤ１７０及びピニオンギヤ１８０からなる移動手段２００とからロッキング装置が構成されるため、使用者が本体の外側に突出される一つのノブ１４０のみを簡単に操作することで、バッテリカバー２０が本体１０からロック解除されて分離されるため、バッテリカバー２０の分離動作が非常に簡単になるという効果がある。
【００３４】
尚、本発明は、上述の実施例に限られるものではない。本発明の技術的範囲から逸脱しない範囲内で多様に変更実施することが可能である。
【図面の簡単な説明】
【００３５】
【図１】本発明に係る携帯端末機のバッテリカバーロッキング装置の第１の実施例を示した一部縦断面図である。
【図２】図１のバッテリカバーロッキング装置のロッキング過程を示した動作説明図である。
【図３】図１のバッテリカバーロッキング装置のロッキング過程を示した動作説明図である。
【図４】図１のバッテリカバーロッキング装置のロッキング解除過程を示した動作説明図である。
【図５】図１のバッテリカバーロッキング装置のロッキング解除過程を示した動作説明図である。
【図６】本発明に係る携帯端末機のバッテリカバーロッキング装置の第２の実施例を示した一部縦断面図である。
【図７】図６の携帯端末機の外観の一部を示した背面図である。
【図８】図６のバッテリカバーロッキング装置のロッキング過程を示した動作説明図である。
【図９】図６のバッテリカバーロッキング装置のロッキング過程を示した動作説明図である。
【図１０】図６のバッテリカバーロッキング装置のロッキング解除過程を示した動作説明図である。
【図１１】図６のバッテリカバーロッキング装置のロッキング解除過程を示した動作説明図である。
【図１２】従来の携帯端末機を示した一部分解斜視図である。
【図１３】従来の携帯端末機のロッキング装置をさらに分解した斜視図である。
【図１４】図１３のバッテリカバーロッキング装置を示した縦断面図である。
【符号の説明】
【００３６】
１０        携帯端末機の本体
１１、１１１    案内グルーブ
１２、１１２    支持突条
２０        バッテリカバー
２１        フック
２１ａ      フックの内側面
２１ｂ      フックの外側面
３０、１３０    弾性部材
４０、１４０    ノブ
５０、１５０    ロック部材
５１、１５１    第１突条
５１ａ、１５１ａ    第１突条の内側面
５２、１５２    第２突条
５２ａ、１５２ａ    第２突条の内側面
５３        挿入空間
１７０      ラックギヤ
１８０      ピニオンギヤ
【図１】
2004297068.tif 000003
【図２】
2004297068.tif 000004
【図３】
2004297068.tif 000005
【図４】
2004297068.tif 000006
【図５】
2004297068.tif 000007
【図６】
2004297068.tif 000008
【図７】
2004297068.tif 000009
【図８】
2004297068.tif 000010
【図９】
2004297068.tif 000011
【図１０】
2004297068.tif 000012
【図１１】
2004297068.tif 000013
【図１２】
2004297068.tif 000014
【図１３】
2004297068.tif 000015
【図１４】
2004297068.tif 000016